(57)【要約】【課題】ノイズの発生が防止されたシールドボックスを有する画像形成装置を提供する。【解決手段】画像形成装置２０はＦＦＣ３を収容し、距離調整部材４が配置された板金２製のシールドボックス１を有し、距離調整部材４は板金２に当接する当接部分１１と、ＦＦＣ３の一部を板金２に対して平行に把持する把持部分１３と、当接部分１１と把持部分１３とを連結し、略中央において折り曲げ可能な連結部分１２、１４とを具備し、把持部分１３に移動可能に設置された連結部分１２が移動して、連結部分１２に当接して連結部分１２を略く字状に折り曲げることによって、板金２とＦＦＣ３との距離が調整され、把持部分１３に進退可能に設置されたストッパ１７が、移動部分１５に形成された複数の貫通孔の何れか（たとえば、貫通孔１６ａ）に侵入することによって、板金２とＦＦＣ３との距離が段階的に調整されて保持される。【選択図】図２
2019162809.tif 000002
【特許請求の範囲】
【請求項１】
入力画像に基づいて出力画像を形成する画像形成装置であって、
少なくともフレキシブル接続ケーブルの一部を収容し、内部に距離調整部材が配置された板金製のシールドボックスを有し、
前記距離調整部材は非導電性材料によって形成され、前記シールドボックスの内面に当接する当接部分と、前記フレキシブル接続ケーブルの一部を前記シールドボックスの内面に対して平行に把持する把持部分と、前記当接部分と前記把持部分とを連結し、略中央において折り曲げ可能な連結部分と、前記把持部分に設置され、前記連結部分に向かって移動可能な移動部分とを具備し、
前記移動部分が移動して前記連結部分を押した際、前記連結部分が略く字状に折り曲げられることによって、前記シールドボックスの内面と前記フレキシブル接続ケーブルとの距離が調整されることを特徴とする画像形成装置。
【請求項２】
前記移動部分に複数の貫通孔または凹部が形成され、
前記貫通孔または凹部に侵入可能なストッパが前記把持部分に設けられ、
前記貫通孔または凹部の何れかに前記ストッパが侵入することによって、前記シールドボックスの内面と前記フレキシブル接続ケーブルとの距離が段階的に調整されて保持されることを特徴とする請求項１記載の画像形成装置。
【請求項３】
前記把持部分に向かって斜め方向に突出した当接斜面が前記当接部分に形成され、
前記当接部分に向かって斜め方向に突出した移動斜面が前記移動部分に形成され、
前記当接斜面に移動斜面が摺動することによって、前記移動部分は移動させられることを特徴とする請求項１または２記載の像形成装置。
【請求項４】
前記連結部分の中央部と、前記連結部分と前記当接部分との隅部と、前記連結部分と前記把持部分との隅部とに、折り曲げを容易にするための切り欠きがそれぞれ設けられていることを特徴とする請求項１乃至３の何れか１項に記載の画像形成装置。
【発明の詳細な説明】
【技術分野】
【０００１】
本発明は画像形成装置、特にシールドボックスを有する画像形成装置に関する。
【背景技術】
【０００２】
従来、複写機、プリンタ等の画像形成装置において、制御を担う電気基板等の被保護部品がシールドボックスに収容されている。シールドボックスには外部の電気機器と内部の被保護部品とを連結する電線が貫通する開口部が形成されている。このとき、開口部に電線の保護部材を設置することを不要にする発明が開示されている（例えば、特許文献１参照）。
【先行技術文献】
【特許文献】
【０００３】
【特許文献１】特開２０１３−１７５６３０号公報（第６−８頁、図１）
【発明の概要】
【発明が解決しようとする課題】
【０００４】
特許文献１に開示された発明では、電線を損傷することなく電線を容易に通すことができる開口部を具備するものの、シールドボックス内における電線とシールドボックスを形成する板金との距離が規制されないため、両者が近接した場合、信号にノイズが乗ったり、外部にノイズを出したりするという問題点があった。
【０００５】
本発明は、前記問題点を鑑みてなされたものであり、前記ノイズの発生が防止されたシールドボックスを有する画像形成装置を提供することを目的とする。
【課題を解決するための手段】
【０００６】
本発明に係る画像形成装置は、入力画像に基づいて出力画像を形成する画像形成装置であって、少なくともフレキシブル接続ケーブルの一部を収容し、内部に距離調整部材が配置された板金製のシールドボックスを有し、前記距離調整部材は非導電性材料によって形成され、前記シールドボックスの内面に当接する当接部分と、前記フレキシブル接続ケーブルの一部を前記シールドボックスの内面に対して平行に把持する把持部分と、前記当接部分と前記把持部分とを連結し、略中央において折り曲げ可能な連結部分と、前記把持部分に設置され、前記連結部分に向かって移動可能な移動部分とを具備し、前記移動部分が移動して前記連結部分を押した際、前記連結部分が略く字状に折り曲げられることによって、前記シールドボックスの内面と前記フレキシブル接続ケーブルとの距離が調整されることを特徴とする。
【発明の効果】
【０００７】
本発明によれば、シールドボックスの内面とフレキシブル接続ケーブルとの距離が調整可能であるから、信号にノイズが乗ることや外部にノイズが出ることが防止される距離に、フレキシブル接続ケーブルを保持することができるという効果を奏する。
【図面の簡単な説明】
【０００８】
【図１】本発明の実施の形態１に係る画像形成装置の基本構成を示すブロック図である。
【図２】本発明の実施の形態１に係る画像形成装置の構成部材（シールドボックス）の一部を示す側面視の断面図である。
【図３】本発明の実施の形態１に係る画像形成装置の構成部材（シールドボックス）の一部を示す側面視の断面図である。
【図４】本発明の実施の形態１に係る画像形成装置の構成部材の一部（距離調整部材）を示す斜視図である。
【図５】本発明の実施の形態１に係る画像形成装置の構成部材の一部（距離調整部材）を構成する単品を抜き出して示す斜視図である。
【図６】本発明の実施の形態１に係る画像形成装置の構成部材の一部（距離調整部材）を構成する単品の一部を抜き出して示す斜視図である。
【発明を実施するための形態】
【０００９】
以下、図を参照して本発明の実施の形態１を詳細に説明する。なお、以下の実施の形態１において、各図は模式的に描かれたものであって、本発明は図示された形態（部位の形状や個数等）に限定されるものではない。また、同様の機能を示す構成には、同一の符号を付してある。
【００１０】
図１〜図６は、本発明の実施の形態１に係る画像形成装置を説明するものであって、図１は基本構成を示すブロック図、図２および図３は構成部材（シールドボックス）の一部を示す側面視の断面図、図４は構成部材の一部（距離調整部材）を示す斜視図、図５は構成部材の一部（距離調整部材）を構成する単品を抜き出して示す斜視図、図６は構成部材の一部（距離調整部材）を構成する単品の一部を抜き出して示す斜視図である。
【００１１】
（画像形成装置）
図１において、画像形成装置２０は、操作部２１、入力部２２、制御部２３および出力部２４を有している。入力部２２において入力画像（原稿等）を取り込み、操作部２１において指令された条件に基づいて、制御部２３において入力画像（または入力画像データ）から出力画像（または出力画像データ）を形成し、出力部２４において出力画像を提供する。
このとき、制御部２３には制御を担う電気基板等が配置され、電気基板等はシールドボックス１に収容されて保護されている（シールドボックス１については別途詳細に説明する）。なお、制御部２３は、操作部２１、入力部２２および出力部２４の動作も制御しているから、機能毎に分離され、それぞれがそれぞれのシールドボックスに収容され、分散して配置される場合がある。また、本発明において、シールドボックスに収容されている電気基板等は背景技術における被保護部品に相当している。
【００１２】
（シールドボックス）
図２および図３において、シールドボックス１は板金２によって形成され、内部に少なくともフレキシブル接続ケーブル（電線に同じ。以下「ＦＦＣ」と称す）３を収容している。このとき、板金２とＦＦＣ３との距離が距離調整部材４によって調整可能になっている。
【００１３】
（距離調整部材）
図４〜図６において、距離調整部材４は非導電性材料によって形成され、略矩形状の枠体１０を形成する４つの部分、すなわち、板金２（シールドボックス１の内面に同じ）に当接する当接部分１１と、ＦＦＣ３の一部を板金２に対して平行に把持する把持部分１３と、当接部分１１と把持部分１３とを連結し、略中央において折り曲げ可能な連結部分１２、１４とを具備している。また、把持部分１３の枠体１０の内部側に配置され、連結部分１２に向かって移動可能な移動部分１５とを具備している。
そして、連結部分１２、１４の折り曲げを容易にするため、断面略円弧状の切り欠き９が、連結部分１２、１４の中央部と、連結部分１２、１４と当接部分１１との隅部と、連結部分１２、１４と把持部分１３との隅部とに設けられている。なお、切り欠き９は局部的な薄肉部であるから、枠体１０内側に限定するものではなく、枠体１０の外側に設けてもよい。
【００１４】
（当接部分）
当接部分１１には、把持部分１３に向かって斜め方向に突出した当接斜面１８が形成されている。当接斜面１８は、それぞれ断面略円弧状に形成された頂上１８ａおよび裾野１８ｃと、頂上１８ａと裾野１８ｃとの間である平面１８ｂとからなっている。
【００１５】
（把持部分）
また、把持部分１３には、当接部分１１側に突出した断面Ｔ字状の把持突条１３ａと、図示しない係止機構を具備する貫通孔１３ｂとが形成され、貫通孔１３ｂには当接部分１１に向かって進退可能なストッパ１７が配置されている。
なお、ストッパ１７は断面略Ｙ字状であって、その一部である断面略Ｖ字状の部分の開き角度が変更可能になっている。したがって、断面略Ｖ字状の部分の先端同士を挾持して近づけることで、開き角度を狭めると、ストッパ１７は把持部分１３に形成された貫通孔１３ｂから離脱可能になる。反対に、前記挟持を解放することによって、断面略Ｖ字状の部分の開き角度を元に戻すと、ストッパ１７は図示しない係止機構に進退不可能に係止する。
【００１６】
（移動部分）
さらに、移動部分１５には、把持部分１３に形成された把持突条１３ａに摺動する断面Ｔ字状の移動溝１５ａと、当接部分１１に向かって斜め方向に突出した移動斜面１９が形成されている。移動斜面１９は、それぞれ断面略円弧状に形成された頂上１９ａおよび裾野１９ｃと、頂上１９ａと裾野１９ｃとの間である平面１９ｂとからなっている。また、移動部分１５の一方の先端１５ｔに近い範囲に、間隔を空けて貫通孔１６ａ、１６ｂ、１６ｃ（以下、それぞれを個別にあるいはそれぞれをまとめて「貫通孔１６」と称す場合がある）が形成されている。
したがって、移動部分１５は、把持突条１３ａと移動溝１５ａとの摺動によって案内されながら移動し、ストッパ１７は、貫通孔１６ａがストッパ１７の直下に位置したときは、貫通孔１６ａに侵入可能で、貫通孔１６ｂがストッパ１７の直下に位置したときは、貫通孔１６ｂに侵入可能で、貫通孔１６ｃがストッパ１７の直下に位置したときは、貫通孔１６ｃに侵入可能である。
なお、「直下に位置する」とはストッパ１７の進退方向の延長線上に貫通孔１６が位置することを指している。したがって、シールドボックス１の設置姿勢やストッパ１７の進退方向は限定されるものではないから、たとえば、直上に位置する場合や斜め左右方向に位置する場合もある。
【００１７】
（最大距離）
再び図２において、移動部分１５の一方の先端１５ｔが連結部分１２から離れているから、連結部分１２、１４は折れ曲がることなく直線状を呈している。すなわち、枠体１０は略矩形状のままである。このため、板金２とＦＦＣ３とは最大距離Ａだけ離れている。
このとき、ストッパ１７は、先端１５ｔに最も近い貫通孔１６ａに侵入している。また、当接斜面１８の頂上１８ａと移動斜面１９の頂上１９ａとが当接している（正確には、頂上１８ａが平面１９ｂの頂上１９ａに近い範囲に当接、あるいは頂上１９ａが平面１８ｂの頂上１８ａに近い範囲に当接している）。さらに、ストッパ１７が貫通孔１６ａから抜き出されない限り、最大距離Ａは変動不可能に保持されている。
【００１８】
（最小距離）
再び図３において、移動部分１５の一方の先端１５ｔが連結部分１２を押して、連結部分１２、１４は略く字状に折れ曲がっている。すなわち、枠体１０は略六角形状を呈し、板金２とＦＦＣ３とは最小距離Ｃだけ離れている。
このとき、ストッパ１７は、先端１５ｔから最も遠い貫通孔１６ｃに侵入している。そして、当接斜面１８の平面１８ｂの略全域が、移動斜面１９の平面１９ｂの略全域に当接し、頂上１８ａが裾野１９ｃに近接し、頂上１９ａが裾野１８ｃに近接している。さらに、ストッパ１７が貫通孔１６ｃから抜き出されない限り、最小距離Ｃは変動不可能に保持されている。
【００１９】
（中間の距離）
さらに、ストッパ１７が貫通孔１６ａと貫通孔１６ｃとの中間に位置する貫通孔１６ｂに侵入した状態で、移動部分１５の一方の先端１５ｔが連結部分１２を押している場合は、板金２とＦＦＣ３とは、最大距離Ａと最小距離Ｃとの中間の距離だけ離れて保持されることになる（図示しない）。
なお、貫通孔１６の数は限定されないから、増やすことによって、より細かいピッチで板金２とＦＦＣ３との距離を段階的に調整することが可能になる。また、隣接する貫通孔１６同士の間隔は、互いに同一でも相違してもよい。さらに、貫通孔１６に代えて底付きの穴や凹凸にしてもよい。たとえば、台形状または矩形状の歯を具備するラックにしておけば、さらに細かいピッチで板金２とＦＦＣ３との距離を調整することができる。
【００２０】
（距離調整要領）
距離調整部材４は前記のような構成であるから、ストッパ１７が貫通孔１６から抜き出された状態で、把持部分１３を当接部分１１の方向に押し込むと、移動斜面１９は当接斜面１８に摺動するため、移動部分１５は連結部分１２の方向に移動される。そうすると移動部分１５の一方の先端１５ｔが連結部分１２を押すから、連結部分１２は略く字状に折り曲げられる（同時に、連結部分１４も略く字状に折り曲げられる）。
そして、たとえば、貫通孔１６ａがストッパ１７の直下になったところで、信号にノイズが乗ることや外部にノイズが出ることが防止されれば、貫通孔１６ａにストッパ１７を挿入して、板金２とＦＦＣ３との距離を前記ノイズが防止された距離（最大距離Ａ）に保持することが可能になる。
同様に、たとえば、貫通孔１６ｂがストッパ１７の直下になったところで、前記ノイズが防止されれば、貫通孔１６ｂにストッパ１７を挿入して、板金２とＦＦＣ３との距離を前記ノイズが防止された距離（中間の距離）に保持することが可能になる。
同様に、たとえば、貫通孔１６ｃがストッパ１７の直下になったところで、前記ノイズが防止されれば、貫通孔１６ｃにストッパ１７を挿入して、板金２とＦＦＣ３との距離を前記ノイズが防止された距離（最小距離Ｃ）に保持することが可能になる。
【００２１】
（作用効果）
以上のように、画像形成装置２０は、内部に距離調整部材４が設置されたシールドボックス１を有し、距離調整部材４における把持部分１３を当接部分１１の方向に押し込んでストッパ１７を挿入するという簡単な作業によって、板金２とＦＦＣ３との距離を調整可能であり、且つ調整された距離を保持可能である。したがって、信号にノイズが乗ったり、外部にノイズが出たりしない距離を見つけてところで、かかる距離を保持することができるから、ノイズの問題が解消する。
【００２２】
なお、本発明は、実施の形態１に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【産業上の利用可能性】
【００２３】
本発明は以上であるから、各種画像形成装置として広く利用することができる。
【符号の説明】
【００２４】
１  ：シールドボックス
２  ：板金
３  ：フレキシブル接続ケーブル（ＦＦＣ）
４  ：距離調整部材
９  ：切り欠き
１０  ：枠体
１１  ：当接部分
１２  ：連結部分
１３  ：把持部分
１３ａ：把持突条
１３ｂ：貫通孔
１４  ：連結部分
１５  ：移動部分
１５ｔ：先端
１６  ：貫通孔
１６ａ：貫通孔
１６ｂ：貫通孔
１６ｃ：貫通孔
１７  ：ストッパ
１８  ：当接斜面
１８ａ：頂上
１８ｂ：平面
１８ｃ：裾野
１９  ：移動斜面
１９ａ：頂上
１９ｂ：平面
１９ｃ：裾野
２０  ：画像形成装置
２１  ：操作部
２２  ：入力部
２３  ：制御部
２４  ：出力部
Ａ  ：最大距離
Ｃ  ：最小距離
【図１】
2019162809.tif 000003
【図２】
2019162809.tif 000004
【図３】
2019162809.tif 000005
【図４】
2019162809.tif 000006
【図５】
2019162809.tif 000007
【図６】
2019162809.tif 000008